(57)【特許請求の範囲】
【請求項１】
陽極板、陰極板及び陽極板と陰極板との間のセパレータを含み、
前記陽極板または陰極板のいずれか一つ以上から延長された少なくとも一つの電極タップを備える少なくとも二つの電極組立体と、
前記電極タップが通過する少なくとも一つの開口部を含む少なくとも一つの絶縁体を含み、
前記絶縁体は前記電極組立体の一領域を収容する収容部を備え、
前記絶縁体は一表面を含み、
前記各収容部は前記一表面の上に突出された少なくとも一つの側壁を含み、
前記電極組立体が前記収容部に収容された状態において前記収容部は前記電極組立体の側壁の一部のみを収容し、
前記電極組立体の各電極タップは、一端から延長された第１電極タップと、他端から延長された第２電極タップとを含み、
前記絶縁体と電極組立体を収容するバッテリーケースとキャッププレート組立体をさらに含み、
前記キャッププレート組立体は、キャッププレートと各電極組立体の電極リードを含み、前記電極組立体の第２電極タップは対応する電極リードと接触する
ことを特徴とする二次電池。
【請求項２】
前記絶縁体は、第１絶縁体と第２絶縁体からなり、
前記第１絶縁体と前記第２絶縁体は各々別個の構成であって、少なくともいずれか一方は、電極組立体の電極タップを有する端部を収容する
ことを特徴とする請求項１に記載の二次電池。
【請求項３】
前記絶縁体の少なくとも一つの開口部は、第１絶縁体の第１開口部と第２絶縁体の第２開口部を含み、
前記第１電極タップは、前記第１絶縁体の第１開口部を介して延長されて、第２電極タップは第２絶縁体の第２開口部を介して延長される
ことを特徴とする請求項２に記載の二次電池。
【請求項４】
前記第１電極タップは第１絶縁体の第１開口部を介して延長されてバッテリーケースと接触し、前記第２電極タップは前記第２絶縁体の第２開口部を介して延長されて前記キャッププレート組立体と接触される
ことを特徴とする請求項３に記載の二次電池。
【請求項５】
前記キャッププレートは、キャッププレートと電極リードを絶縁するガスケットをさらに含む
ことを特徴とする請求項１に記載の二次電池。
【請求項６】
前記キャッププレート組立体は、電極リードコネクタと前記電極リードコネクタに連結される電極リードを含み、
各電極組立体の第２電極タップは前記電極リードコネクタと接触する
ことを特徴とする請求項１に記載の二次電池。
【請求項７】
前記キャッププレート組立体は絶縁板をさらに含む
ことを特徴とする請求項６に記載の二次電池。
【請求項８】
前記電極タップは、一端からそれぞれ延長された第１電極タップと第２電極タップとを含み、
前記少なくとも一つの絶縁体が備える少なくとも一つの開口部は、各電極組立体用第１開口部と第２開口部とを含み、前記第１電極タップは第１開口部から延長されて第２電極タップは第２開口部から延長される
ことを特徴とする請求項１に記載の二次電池。
【請求項９】
前記収容部は、対応する二次電池の各バッテリーセルの第１端の外周面の少なくとも一領域を収容する
ことを特徴とする請求項１に記載の二次電池。
【請求項１０】
前記収容部は少なくとも一つの開口部を持つ外側壁を含む
ことを特徴とする請求項９に記載の二次電池。
【請求項１１】
前記収容部は、内部に空間を持つ外側壁を含む
ことを特徴とする請求項９に記載の二次電池。
【請求項１２】
前記収容部は、絶縁体の表面内の凹み形状で形成される
ことを特徴とする請求項１に記載の二次電池。
【発明の詳細な説明】
【技術分野】
【０００１】
本発明は、二次電池に関し、より具体的には、複数の電極組立体で中大型電池を具現する際、電極組立体の複数のタップをバッテリーケースに容易く溶接することができる二次電池に関する。
【背景技術】
【０００２】
二次電池は、充電が不可能な一次電池とは違って、充電及び放電の可能な電池である。一つのセルからなる低容量二次電池は、携帯電話やノートブックコンピューター及びカムコーダのように携帯可能な小型電子機器に使用され、複数の電池セルのパック形態で連結された大容量二次電池はハイブリッド電気自動車などのモーター駆動用電源として脚光を浴びている。
【０００３】
このような大容量二次電池は、大電力を要する電気自動車などのモーターの駆動に使用できるように直列連結された二次電池で構成される。これとともに、大容量電池単独としての研究も活発に進行されている。
【０００４】
しかし、複数の小型電池をモジュールで構成し、これを大容量二次電池で具現するようになれば、重さとコストが増加するという短所がある。また、大容量二次電池の場合には、単位セルあたり容量が増えてしまい、安全性の側面からさらに多い危険を含んでおり、同一性能具現に追加的なコストがかかるという問題がある。
【発明の概要】
【発明が解決しようとする課題】
【０００５】
したがって、本発明は上記問題を解決するために案出されたものであり、その目的は、複数の電極組立体で中大型電池を具現する際にそれぞれの電極組立体を固定させることができる収容部を備えた絶縁体によって電極組立体の複数のタップをバッテリーケースに容易に溶接することができる二次電池を提供することにある。
【課題を解決するための手段】
【０００６】
上記目的を達成するために本発明の一実施例によれば、陽極板、陰極板及び陽極板と陰極板との間のセパレータを含み、前記陽極板または陰極板のいずれか一つ以上から延長された少なくとも一つの電極タップを備える少なくとも二つの電極組立体と、前記電極タップが通過する少なくとも一つの開口部を含む少なくとも一つの絶縁体を含むが、前記絶縁体は前記電極組立体の一領域を収容する収容部を備える二次電池を提供する。
【０００７】
また、前記絶縁体は一表面を含み、前記各収容部は前記一表面の上に突出された少なくとも一つの側壁を含む。
【０００８】
また、前記絶縁体は第１絶縁体と第２絶縁体からなる。
【０００９】
また、前記電極組立体の各電極タップは、一端から延長された第１電極タップと、他端から延長された第２電極タップとを含み、前記絶縁体の少なくとも一つの開口部は、第１絶縁体の第１開口部と第２絶縁体の第２開口部を含むが、前記第１電極タップは前記第１絶縁体の第１開口部を介して延長されて、第２電極タップは第２絶縁体の第２開口部を介して延長される。
【００１０】
さらに、前記絶縁体と電極組立体を収容するバッテリーケースとキャッププレート組立体をさらに含むが、前記第１電極タップは第１絶縁体の第１開口部を介して延長されてバッテリーケースと接触し、前記第２電極タップは前記第２絶縁体の第２開口部を介して延長されて前記キャッププレート組立体と接触される。
【００１１】
また、前記キャッププレート組立体はキャッププレートと各電極組立体の電極リードを含み、前記電極組立体の第２電極タップは対応する電極リードと接触する。
【００１２】
また、前記キャッププレートはキャッププレートと電極リードを絶縁するガスケットをさらに含む。
【００１３】
また、前記キャッププレート組立体は、電極リードコネクタと前記電極リードコネクタに連結される電極リードを含むが、各電極組立体の第２電極タップは前記電極リードコネクタと接触する。
【００１４】
また、前記キャッププレート組立体は絶縁板をさらに含む。
【００１５】
また、前記電極タップは一端からそれぞれ延長された第１電極タップと第２電極タップとを含み、前記絶縁板は各電極組立体用第１開口部と第２開口部とを含むが、前記第１電極タップは第１開口部から延長されて第２電極タップは第２開口部から延長される。
【００１６】
また、前記収容部は対応する二次電池の各バッテリーセルの第１端の外周面の少なくとも一領域を収容する。
【００１７】
また、前記収容部は少なくとも一つの開口部を持つ外側壁を含む。
【００１８】
また、前記収容部は内部に空間を持つ外側壁の形態になりえる。
【００１９】
また、前記収容部は絶縁体の表面内の凹み形状で形成されうる。
【発明の効果】
【００２０】
以上説明したように、本発明によれば、複数の電極組立体で中大型電池を具現する際にそれぞれの電極組立体を固定させることができる収容部を備えた絶縁体によって電極組立体の複数のタップをバッテリーケースに容易に溶接することができることで、機械的剛性の低い電池セルを保護することができるだけでなく、電極組立体の変形を防止することができる。
【００２１】
また、複数の電極組立体を溶接する時、正確な位置整列及び組立が簡便で電池セルの製作が容易になり、電池の構造的安全性を増加させることができる。
【００２２】
また、全般的な製造コストを安くすることができ、電極組立体の爆発の時電池セル全体でない一つの電極組立体のみ爆発するので、安全性を向上させることができる。
【図面の簡単な説明】
【００２３】
【図１】本発明の第１実施例による電極組立体と絶縁体を示す分解斜視図である。
【図２】図１の電極組立体と絶縁体が結合された状態を示す斜視図である。
【図３】本発明の第２実施例による電極組立体と絶縁体が結合された状態を示す斜視図である。
【図４】本発明の第２実施例による二次電池を示す斜視図である。
【図５ａ】図４のＡ−Ａ´による断面図である。
【図５ｂ】図４のＢ−Ｂ´による断面図である。
【図６】本発明の第３実施例による二次電池を示す斜視図である。
【図７】本発明の第４実施例による電極組立体と絶縁体が結合された状態を示す斜視図である。
【図８】本発明の第５実施例による電極組立体と絶縁体が結合された状態を示す斜視図である。
【図９】本発明の第６実施例による電極組立体と絶縁体が結合された状態を示す斜視図である。
【発明を実施するための形態】
【００２４】
以下、添付された図面を参照して本発明の望ましい実施例について説明する。図１は本発明の第１実施例による電極組立体と絶縁体を示す分解斜視図で、図２は図１の電極組立体と絶縁体が結合された状態を示す斜視図である。
【００２５】
図１及び図２を参照すれば、本発明の第１実施例による中大型二次電池またはバッテリーセルは、複数の円形電極組立体１０を装着することができる絶縁体２０を含む。このような絶縁体２０には、複数の電極組立体１０の下側面を取り囲んで支持することができる収容部（ｒｅｃｅｐｔａｃｌｅ、２１）が形成されるが、収容部２１は絶縁体２０上部に突き出されて、突出された内部に電極組立体１０下部が挿入される空間を持つ形状になる。
【００２６】
本発明において、前記収容部２１は所定の間隔を置いて位置され、複数の電極組立体１０が一定の間隔で配列及び固定されるようにする。ここで、収容部２１が絶縁体２０上部に突出された長さに対して限定しなかったが、最小限電極組立体１０を堅固に固定することができる長さで延長されることが望ましい。
【００２７】
本発明において、前記絶縁体をより具体的によく見れば、前記絶縁体の場合、一表面を含み、前記各収容部は前記一表面の上に突出された少なくとも一つの側壁の形態でなる。また、前記収容部は対応する二次電池の各バッテリーセルの第１端の外周面の少なくとも一領域を収容することができ、内部に空間を持つ外側壁の形態を持つことができる。
【００２８】
円形電極組立体１０は、上部に第１タップが引き出されて、下部に第２タップが引き出される。以下では、便宜上上部に引き出された第１タップを陽極タップ１１とし、下部に引き出された第２タップを陰極タップ１２とする。
【００２９】
絶縁体２０の収容部２１が形成された位置には電極組立体１０の下部に引き出された陰極タップ１２を外部に露出させるためのホール２２が形成され、電極組立体１０が収容部２１に挿入される際、陰極タップ１２は絶縁体２０のホール２２を通過して外部に露出される。
【００３０】
複数の陰極タップ１２は、ホール２２によって露出して整列され、後のカン等のようなバッテリーケースとの溶接を容易にすることができる。本発明において前記ホール２２は広い意味の開口部に含まれることにする。
【００３１】
このように複数の電極組立体１０の下側面が収容部２１によって覆われるように装着された状態の絶縁体２０は、以後カン等のバッテリーケース３２に挿入される。複数の電極組立体１０が装着された絶縁体２０がバッテリーケースに挿入されて、陽極タップ１１及び陰極タップ１２と、バッテリーケースが溶接されることについては図４ないし図５ｂで後述する。そして、図４の場合、絶縁体２０は複数の電極組立体１０上部と下部に位することを示したが、本発明の実施例では絶縁体２０が複数の電極組立体の上部または下部のみに位置することもできる。
【００３２】
この際、絶縁体２０に形成される収容部２１の個数は限定されず、絶縁体２０は二つ以上の電極組立体１０を結合または組合させることができる形態に形成されうる。また、絶縁体２０はポリプロピレン（ｐｏｌｙｐｒｏｐｙｌｅｎｅ）、ポリエチレン（ｐｏｌｙｅｔｈｙｌｅｎｅ）、ポリイミド（ｐｏｌｙｉｍｉｄｅ）で形成することができる。
【００３３】
円形電極組立体１０に対して簡略に説明すれば、陽極集電体の表面に陽極活物質層がコーティングされた陽極板と、陰極集電体の表面に陰極活物質層がコーティングされた陰極板と、陽極板及び陰極板の間に位置して陽極板と陰極板とを電気的に絶縁させるセパレーターが巻取されて形成される。
【００３４】
陽極板は、導電性の優れた金属薄板、例えば、アルミニウムホイル（Ａｌ  ｆｏｉｌ）からなる陽極集電体と、その両面にコーティングされた陽極活物質層とを含む。陽極板の両端部には、陽極活物質層が形成されていない陽極集電体領域、すなわち、陽極無地部が形成される。陽極無地部の一端には陽極タップ１１が接合されているが、陽極タップ１１は一般的にアルミニウム材質で形成されて、電極組立体１０の上部に一定の長さ突出される。
【００３５】
また、陰極板は伝導性金属薄板、例えば、銅またはニッケルホイルからなる陰極集電体と、その両面にコーティングされた陰極活物質層を含んでいる。陰極板の両端部は、陰極活物質層が形成されていない陰極集電体領域、すなわち、陰極無地部が形成される。陰極無地部の一端には陰極タップ１２が接合されているが、陰極タップ１２は一般的にニッケル材質で形成されて、電極組立体１０の下部に一定の長さ突出される。
【００３６】
図３は、本発明の第２実施例による電極組立体と絶縁体が結合された状態を示す斜視図で、図４は本発明の第２実施例による二次電池を示す斜視図である。図３及び図４を参照すれば、絶縁体２０が複数の電極組立体１０上下部に位置されて、電極組立体１０の上部に突出された陽極タップ１１と電極組立体１０の下部に突出された陰極タップ１２の位置をそれぞれ固定させることができる。
【００３７】
複数の電極組立体１０の上部は、第１絶縁体２０ａと一体に形成された第１収容部２１ａに挿入されて、複数の電極組立体１０の下部は第２絶縁体２０ｂと一体に形成された第２収容部２１ｂに挿入される。第１及び第２収容部（２１ａ、２１ｂ）は、第１実施例と同様に、第１絶縁体２０ａ及び第２絶縁体２０ｂそれぞれから電極組立体１０に向かって突出された形状で、その内部には電極組立体１０の端部が挿入されうる空間が形成されている。そして、第１収容部２１ａと第２収容部２１ｂは、対称構造で形成される。第１収容部２１ａには電極組立体１０の上部が挿入されて、陽極タップ１１が外部に露出されるように第１ホール２２ａが形成されて、第２収容部２１ｂには電極組立体１０の下部が挿入されて、陰極タップ１２が外部に露出されるように第２ホール２２ｂが形成される。
【００３８】
これによって第１絶縁体２０ａ及び第２絶縁体２０ｂそれぞれに結合された電極組立体１０上部の陽極タップ１１と下部の陰極タップ１２は第１ホール２２ａと第２ホール２２ｂを介して露出される。このように複数の電極組立体１０が装着された絶縁体（２０ａ、２０ｂ）をバッテリーケース３２に挿入し、上部にキャッププレート３１を覆う。この際、第１ホール２２ａを介して露出された陽極タップ１１は、バッテリーケース３２の上部を覆うキャッププレート３１に形成された陽極リード３３に溶接されるか固定されて、第２ホール２２ｂを介して露出された陰極タップ１２はバッテリーケース３２の下部内面に溶接されるか固定される。
【００３９】
図５ａに示されたように、陽極タップ１１は陽極リード３３を介してキャッププレートと連結される。キャッププレート３１はガスケット３４を介してキャッププレート３３と絶縁される。陽極タップ１１を陽極リード３３に連結するために第１ホール２２ａが第１絶縁体内に位置して陽極タップ１１を陽極リード３３に容易に溶接または連結されるようにする。すなわち、第１絶縁体２０ａに形成された第１ホール２２ａの位置は、陽極リード３３の位置と一致するように配列されて、陽極リード３３と陽極タップ１１の溶接をより容易に行うことができる。本発明の実施例ではバッテリーケース３２とキャッププレート３１が陰極を帯びる場合を説明したが、その反対の極性を帯びても良いのは勿論である。
【００４０】
本発明では、複数の電極組立体１０を一定の位置に配列して固定することができるため、複数の電極組立体１０の陽極タップ１１及び陰極タップ１２をバッテリーケース３２及びキャッププレート３１の溶接位置に正確に位置させることができる。すなわち、バッテリーケース３２内部に挿入される絶縁体（２０ａ、２０ｂ）には、それぞれの電極組立体１０をバッテリーケース３２内部の正確な位置に固定させることができる収容部（２１ａ、２１ｂ）が形成されることで、電極組立体１０の陽極タップ１１及び陰極タップ１２をそれぞれキャッププレート３１とバッテリーケース３２に容易に溶接することができる。これによって複数の電極組立体１０を溶接の際、正確な位置整列及び組立てが簡便で、二次電池の製作が容易になり、二次電池の構造的安全性を増加させることができる。また、機械的剛性の低い電極組立体１０を保護することができるだけでなく、電極組立体１０の変形を防止することができる。
【００４１】
図５ａは、図４のＡ−Ａ´による断面図である。図５ａを参照すれば、第１収容部２１ａに装着された電極組立体１０の上部に引き出された陽極タップ１１は、第１絶縁体２０ａの第１ホール２２ａを介して露出される。そして、露出された陽極タップ１１は、キャッププレート組立体３１と触れないように折り曲げられた状態で陽極リード３３と溶接または連結される。キャッププレート組立体は、ガスケット３４によって陽極リード３３と絶縁されて、ガスケット３４の中央部位は陽極リード３３が挿入されうる挿入ホール３５が形成され、陽極リード３３と陽極タップ１１が触れ合うことができるようになる。前記キャッププレート組立体は電極リードコネクタと前記電極リードコネクタに連結される電極リードを含むことができ、各電極組立体の第２電極タップは前記電極リードコネクタと接触可能である。このように、第１絶縁体２０ａに形成された第１ホール２２ａが陽極タップ１１の位置を取ってくれることで、一定に配列された陽極リード３３と陽極タップ１１を容易に溶接または連結することができる。
【００４２】
図５ｂは、図４のＢ−Ｂ´による断面図である。図５ｂを参照すれば、第２収容部２１ｂに装着された電極組立体１０の下部に引き出された陰極タップ１２は第製２絶縁体２０ｂの第２ホール２２ｂを介して露出される。本発明の実施例では、バッテリーケース３２自体が陰極を帯びるので、第２ホール２２ｂを介して露出された陰極タップ１２は、折れた状態でバッテリーケース３２の下部内面と溶接される。ここで、第２絶縁体２０ｂが別途の構造体ではなく、バッテリーケース３２の下部が第２絶縁体２０ｂの形状を持つことができ、このような場合電極組立体１０をバッテリーケース３２に挿入しながら第２ホール２２ｂに陰極タップ１２が挿入されるようにすることもできる。
【００４３】
図６は、本発明の第３実施例による二次電池を示す斜視図である。図６を参照すれば、本発明の第３実施例による二次電池の陰極タップ１２とバッテリーケース３２が溶接される構造は図４の二次電池と同様である。ただし、キャッププレート３１に形成された陽極リード３３´と陽極タップ１１が溶接される形態において差異を見せる。第１絶縁体２０ａ上部に引き出された陽極タップ１１は、連結体３６にそれぞれ溶接された後、連結体３６と、キャッププレート３１の挿入ホール３５に位置された一つの陽極リード３３´が触れ合う領域での溶接によって陽極タップ１１と陽極リード３３´が電気的に連結される。これによってキャッププレート３１外部に陽極リード３３´が一つのみ形成されてより簡単な構造の二次電池を形成することができる。この際、キャッププレート３１と陽極リード３３´が絶縁されうるようにキャッププレート３１と陽極リード３３´が触れ合う領域にはガスケット３４´が形成される。また、陽極を帯びる連結体３６と陰極を帯びるキャッププレート３１が絶縁されるようにその間には絶縁プレート３７がさらに形成される。
【００４４】
図７は、本発明の第４実施例による電極組立体と絶縁体が結合された状態を示す斜視図である。図７を参照すれば、本発明の第４実施例の中大型二次電池では、複数の円形電極組立体１０を装着することができる絶縁体２０を含む。このような絶縁体２０には複数の電極組立体１０下部を覆いつつ支持することができる収容部２１´が形成されるが、収容部２１´は絶縁体内部に凹み形状で形成され、溝に電極組立体１０の下部が挿入されうる。ここで、溝の深みは電極組立体１０の下側面を覆いつつ電極組立体１０を堅固に固定することができる深みで形成されることが望ましい。
【００４５】
そして、絶縁体２０の収容部２１´が形成された位置には、電極組立体１０下部から突出された陰極タップ１２を外部に露出させるためのホール２２が形成されて、電極組立体１０が収容部２１´に挿入される際、陰極タップ１２は絶縁体２０のホール２２を通過して外部に露出される。複数の陰極タップ１２はホール２２によって露出されて整列され、後ほどバッテリーケースとの溶接を容易にすることができる。このように収容部２１´に複数の電極組立体１０が装着された状態の絶縁体２０は、バッテリーケースに挿入されて、より正確な位置に電極組立体１０を固定させることができる。
【００４６】
図８は、本発明の第５実施例による電極組立体と絶縁体が結合された状態を示す斜視図である。図８を参照すれば、絶縁体２０に複数の電極組立体１０下部のみを覆いつつ支持することができる収容部２１´´が形成される。より詳細には、収容部２１´´は絶縁体２０上部に突出された形状であり、突出された内部には電極組立体１０の下部が挿入されうる空間を持つが、電極組立体１０の下側面一部のみ覆い、一部は開放された構造で形成することができる。すなわち、収容部２１´´は電極組立体１０を支持することができる最小の位置のみに形成されうる。
【００４７】
収容部２１´´が電極組立体１０の一部のみ支持する他の形態では、電極組立体１０の下側面と接する部分と電極組立体１０の下側面と接しない部分が一定の間隔を置いて反復的に形成された形態を帯びることも可能である。
【００４８】
図９は、本発明の第６実施例による電極組立体と絶縁体が結合された状態を示す斜視図である。図９を参照すれば、本発明の第６実施例による中大型二次電池では、バッテリーケース（図示せず）内部に複数の角形電極組立体１０を装着することができる絶縁体２０が挿入される。絶縁体２０は、複数の電極組立体１０上部に位置された第１絶縁体２０ａと複数の電極組立体１０下部に位置された第２絶縁体２０ｂを含む。第１絶縁体２０ａには、複数の電極組立体１０上部を覆いつつ支持することができる第１収容部２１ａが形成され、第２絶縁体２０ｂには複数の電極組立体１０下部を覆いつつ支持することができる第２収容部２１ｂが形成される。この際、第１及び第２収容部（２１ａ、２１ｂ）は、それぞれ第１及び第２絶縁体（２０ａ、２０ｂ）上部に突出された形状で、突き出された内部に電極組立体１０が挿入されうる空間が形成される。ここで、収容部（２１ａ、２１ｂ）は、図８のように電極組立体１０の一部のみを支持する形状で形成されることも可能である。
【００４９】
角形電極組立体１０は、上部に陽極タップ１１及び陰極タップ１２がすべて突出される形態を帯びるので、第１絶縁体２０ａの第１収容部２１ａが形成された領域には陽極タップ１１及び陰極タップ１２を外部に露出させることができる第１ホール２３ａ及び第２ホール２３ｂがさらに形成されうる。第１ホール２３ａ及び第２ホール２３ｂを介して露出された陽極タップ１１及び陰極タップ１２は、バッテリーケースとの溶接位置に正確に整列されているので、バッテリーケースとの溶接をより容易にすることができる。ここで、第１及び第２収容部（２１ａ、２１ｂ）は、それぞれ第１及び第２絶縁体（２０ａ、２０ｂ）上部に突出された形状で形成されたが、第１及び第２絶縁体（２０ａ、２０ｂ）内部に凹む溝形状で形成されうることは勿論である。また、角形電極組立体１０は、陽極タップ１１と陰極タップ１２がすべて上部に引出しされるので、絶縁体が上部のみに形成されることも可能である。
【００５０】
角形電極組立体１０に対して簡略に説明すれば、角形電極組立体１０は、陽極板と陰極板との間にセパレーターが介在された後、巻き取られて形成される。陽極板には陽極タップ１１が結合されて電極組立体１０の上端部に突出されて、陰極板には陰極タップ１２が結合されて電極組立体１０の上端部に突出される。電極組立体１０から陽極タップ１１と陰極タップ１２は所定距離離隔されるように形成されて電気的に絶縁される。そして、陽極タップ１１及び陰極タップ１２が電極組立体１０から引き出される部分にはラミミネーションテープ１３が巻かれることもありえる。ラミネーションテープ１３は陽極タップ１１または陰極タップ１２で発生する熱を遮断し、陽極タップ１１または陰極タップ１２の端によって電極組立体１０が圧迫を受けないようにする役目を遂行する。
【００５１】
前述した実施例では、絶縁体に電極タップを露出させるためのホールが形成されたものを例として説明したが、電極組立体から発生された熱を外部に放出することができる貫通ホールを追加でさらに形成することができる。
【００５２】
以上のように、本発明の最も好ましい実施形態について説明したが、本願発明は、上記記載に限定されるものではなく、特許請求の範囲に記載され、又は明細書に開示された発明の要旨に基づき、当業者が様々な変形や変更が可能であることはもちろんであり、斯かる変形や変更が、本発明の範囲に含まれることは言うまでもない。
【符号の説明】
【００５３】
１０  電極組立体
１１  陽極タップ
１２  陰極タップ
２０  絶縁体
２０ａ  第１絶縁体
２０ｂ  第２絶縁体
２１、２１´、２１´´  収容部
２１ａ  第１収容部
２１ｂ  第２収容部
２２  ホール
２２ａ  第１ホール
２２ｂ  第２ホール
３０  バッテリーケース
３２  キャッププレート
【図１】
0005455964.tif 000002
【図２】
0005455964.tif 000003
【図３】
0005455964.tif 000004
【図４】
0005455964.tif 000005
【図５ａ】
0005455964.tif 000006
【図５ｂ】
0005455964.tif 000007
【図６】
0005455964.tif 000008
【図７】
0005455964.tif 000009
【図８】
0005455964.tif 000010
【図９】
0005455964.tif 000011